(57)【特許請求の範囲】
【請求項１】
バスシステム(50)及び取付けレールが好ましい組立てベース(7)上で整列方向(71)に互いに行に配列された電気的モジュール(4)を備えた電気的モジュール構成(6)であって、
各電気的モジュール(4)は凹部(441)を備えた電子的ハウジング(41)を示し、該ハウジング内に少なくとも１つのプリント回路基板(9)が置かれ、
前記バスシステム(50)は前記電子的ハウジング(41)の外側に延びるバスバー(5)を備え、少なくとも１つのバスバー(5)はプラグイン構成(3)を介して、電気的モジュール(4)の前記プリント回路基板(9)に電気的に接続されている電気的モジュール構成(6)において、
前記プラグイン構成(3)は摩擦バネ(1)を備え、該バネは電子的ハウジング(41)の凹部(441)を通って挿入方向(21)に外側から正逆可能に挿入され得て、該摩擦バネ(1)は前記プリント回路基板(9)に電気的に接続されて、前記バスバー(5)は前記プラグイン構成(3)に挿入され得て、該摩擦バネ(1)と電気的に接触し、
前記プラグイン構成(3)は、少なくとも一部が外側に開口した前側(351、352)を備えたハウジング(31)を備える、電気的モジュール構成(6)。
【請求項２】
前記摩擦バネ(1)は、２又は３つの接触領域(11、12)を示す、請求項１に記載の電気的モジュール構成(6)。
【請求項３】
前記摩擦バネ(1)は、二重チューリップ又は三重チューリップ、特にＳ字形又はＷ字形に構成された、請求項１又は２に記載の電気的モジュール構成(6)。
【請求項４】
前記第１の接触領域(11)はバスバー(5)に繋がる第１のＳ字曲げ部(11)として構成され、前記第２の接触領域(12)は接触デバイス(43)に繋がる第２のＳ字曲げ部(12)として構成されて、プリント回路基板(9)と電気的に接触し、
第１及び第３の接触領域(1001、1003)は夫々第１及び第２のバスバー(5001、5002)に繋がるＳ字曲げ部として構成され、第２の接触領域(1002)はプリント回路基板(9)と電気的に接触する接触デバイス(43)に繋がる第２のＳ字曲げ部(1002)として構成される、請求項２に記載の電気的モジュール構成(6)。
【請求項５】
接触デバイス(43)は、少なくとも部分的に板形に構成された、請求項４に記載の電気的モジュール構成(6)。
【請求項６】
前記電気的モジュール(4)を備えた前記プラグイン構成(3)は、特に前記接触デバイス(43)を取り外し可能にロックする、請求項４又は５に記載の電気的モジュール構成(6)。
【請求項７】
前記接触デバイス(43)は、前記プリント回路基板(9)に取り付けられ、特に溶着される、請求項４又は５に記載の電気的モジュール構成(6)。
【請求項８】
前記バスバー(5)は整列方向(71)及び挿入方向(21)に延びて、交換可能に前記摩擦バネ(1)内に挿入される、請求項１乃至７の何れかに記載の電気的モジュール構成(6)。
【請求項９】
前記プラグイン構成(3)のハウジング(31)は外側片(311)、内側片(312)及び該外側片(311)と内側片(312)との間の外側ストッパ(33)を示し、前記電気的モジュール(4)に挿入される前記プラグイン構成(3)の外側片(311)は前記電子的ハウジング(41)の外側に置かれ、前記内側片(312)は前記電気的モジュール(4)の内部空間(42)の前記電子的ハウジング(41)内に置かれる、請求項１乃至８の何れかに記載の電気的モジュール構成(6)。
【請求項１０】
前記プラグイン構成(3)の内部空間(32)内にて、前記摩擦バネ(1)の開口端(113)にストッパ(321)が配備される、請求項１乃至９の何れかに記載の電気的モジュール構成(6)。
【請求項１１】
前記プラグイン構成(3)は、外側片(311)上で移動可能に置かれるブラケット(37)を備える、請求項９に記載の電気的モジュール構成(6)。
【請求項１２】
前記第１のＳ字曲げ部(11)及び第２のＳ字曲げ部(12)は共通の中央フランジ(13)を示し、各曲げ部は外側フランジ(111、121)を有し、該外側フランジ(111、121)及び少なくとも前記中央フランジ(13)の一部は、挿入方向(21)に延びるスリット(141)を示し、該スリット内にバスバーを２つの隣接する電気的モジュール(4)の２つのプラグイン構成(3)間の中央に位置させるのに役立つ中間壁(36)が移動可能に挿入され得る、請求項４又は５に記載の電気的モジュール構成(6)。
【請求項１３】
前記摩擦バネ(1)は挿入方向(21)に延びるスロット(141、142)を示し、前記中間壁(36)は摩擦バネ(1)内に挿入され、該摩擦バネ(1)を更に分ける、請求項１２に記載の電気的モジュール構成(6)。
【請求項１４】
請求項１乃至１３の何れか、又はバスシステム(50)及び整列方向に互いに行に配列された電気的モジュール(4)を備えた電気的モジュール構成(6)であって、前記電気的モジュール(4)は夫々凹部(441)を備えた電子的ハウジング(41)を示し、該ハウジング内に少なくとも１つのプリント回路基板(9)が置かれ、前記バスシステム(50)は前記電子的ハウジング(41)の外側に延びるバスバー(5)を備え、少なくとも１つのバスバー(5)はプラグイン構成(3)を介して、電気的モジュール(4)の前記プリント回路基板(9)に電気的に接続されている電気的モジュール構成(6)において、
該電気的モジュール構成は、壁に取り付けられるように構成され、少なくとも１つのバスバー(5)は壁(8)に予め取り付けられており、
前記プラグイン構成(3)は、少なくとも一部が外側に開口した前側(351、352)を備えたハウジング(31)を備える、電気的モジュール構成(6)
【請求項１５】
壁取付け用の壁(8)上には、１以上の壁レール(61)が配備され、該壁レール上に輪郭状のハウジングブラケット(37)が取り付けられ、又は輪郭状のハウジングブラケット(37)が壁(8)に直に取り付けられる、請求項１４に記載の電気的モジュール構成(6)。
【請求項１６】
前記バスバー(5)は壁(8)に予め取り付けられているハウジングブラケット(37)に取り付けられている、請求項１４又は１５に記載の電気的モジュール構成(6)。
【請求項１７】
前記プラグイン構成(3)は、摩擦バネ(1)を有し、該バネは電子的ハウジング(41)の凹部(441)を通って挿入方向(21)から正逆可能に挿入され得て、該摩擦バネ(1)は前記プリント回路基板(9)に電気的に接続されて、前記バスバー(5)は外側から前記プラグイン構成(3)に挿入され得て、該摩擦バネ(1)と電気的に接触する、請求項１４又は１５又は１６に記載の電気的モジュール構成(6)。
【請求項１８】
前記摩擦バネ(1)は、２又は３つの接触領域(11、12)を示す、請求項１７に記載の電気的モジュール構成(6)。
【請求項１９】
前記摩擦バネ(1)は、二重チューリップ、特にＳ字形、又は三重チューリップ、特にＷ字形に構成された、請求項１７又は１８に記載の電気的モジュール構成(6)。
【請求項２０】
前記接触領域のうち、第１の接触領域(11)はバスバー(5)に繋がる第１のＳ字曲げ部(11)として構成され、第２の接触領域(12)は接触デバイス(43)に繋がる第２のＳ字曲げ部(12)として構成されて、プリント回路基板(9)と電気的に接触する、請求項１８に記載の電気的モジュール構成(6)。
【請求項２１】
前記接触領域のうち、第１及び第３の接触領域(1001、1003)は夫々第１及び第２のバスバー(5001、5002)に繋がるＳ字曲げ部として構成され、第２の接触領域(1002)はプリント回路基板(9)と電気的に接触する接触デバイス(43)に繋がる第２のＳ字曲げ部(1002)として構成される、請求項１８に記載の電気的モジュール構成(6)。
【請求項２２】
接触デバイス(43)は、少なくとも部分的に板形に構成された、請求項２１に記載の電気的モジュール構成(6)。
【発明の詳細な説明】
【技術分野】
【０００１】
以下の発明は、エネルギバスシステムを備えた電気的モジュール構成、及び組立てベース上で整列方向に互いに行に配列された電気的モジュールに関する。特に、取付けレールの電気的モジュールであって、各電気的モジュールは少なくとも１つのプリント回路基板が位置する電子的ハウジングを示し、前記バスシステムは電子的ハウジングの外側に延びるバスバーを備え、各バスバーは、プラグイン構成を介して、１つの電気的モジュールのプリント回路基板に電気的に接続されている。
【背景技術】
【０００２】
例えば、駆動技術において、多くの電気的要素に電気供給及び電気信号を確実にするバスシステムが要求される。
【０００３】
電気的要素は、そのようなバスシステムに取り付けられることができるあらゆる電気的デバイスである。これらの中には主として、例えばネットワークデバイス及びネットワークフィルタ、とりわけ周波数変換器及びサーボコントローラへの電気供給を確実にする電気的デバイスが含まれる。有利なことに、そのようなバスシステムは該電気的要素の外側に置かれて、バスシステムヘのアクセスを容易にし、可能な範囲で、バスシステムの任意の位置で電気供給及び電気信号のタッピングを可能にする。
外部に置かれたバスシステムを備えた１つの電気的モジュールは例えばドイツ実用新案202011000855号に示される。
【発明の概要】
【０００４】
本発明の構成は、そのように外側にバスシステムを取り付けるプラグイン構成を付与する仕事を援助し、電気供給及び電気信号の最適で簡単なタッピングと素早い取付けを可能にし、電流に適してモジュラー形式で用いられ得てコスト効率的に製造される。更に、そのような構成に可能な限り有利な接触要素を付与する。
本発明は、請求項１の電気的モジュール構成を用いてこの問題を解決する。
【０００５】
そのような電気的モジュール構成は、特に取付けレール又は壁上のバスバーである組立てベース上で整列方向に行に配列された電気的モジュールと同様に電流に適したバスシステムを備えるのが好ましい。各電気的モジュールは電子的ハウジングを示し、該ハウジング内に少なくとも１つのプリント回路基板が置かれる。プリント回路基板は、電気的アセンブリを形成する電子的要素を備えるのが好ましい。
【０００６】
以下にエネルギバスシステムとして指定されるバスシステムは、電子的ハウジングの外側にあるように構成されて、素早いアクセスを可能にし、組立てを容易にする。少なくとも１以上のバスバーを含むのが好ましく、断面部に関してその直径と用いられる材質は送信される電力に対する要求を満たすように構成可能である。
電気的モジュールを電力レールに接続することにより、電気的モジュールを電力レールを通過するバス信号及び電力レール上を送信される電力に非常に素早く且つ安全に接続することができる。
【０００７】
電力レールは、プラグイン構成を介して電気的モジュールのプリント回路基板に電気的に接続されるのが好ましい。これに関して、プラグイン構成は内部に摩擦バネが置かれる内部空間を備えたハウジングを示し、該摩擦バネはプリント回路基板に電気的に接続されるのが好ましい。バスバーはプラグイン構成内に交換可能に嵌合され、プラグイン構成に嵌合した電力レールは摩擦バネと電気的に接触するのが好ましい。
【０００８】
プラグイン構成の内部空間にアクセスすることを可能にすべく、長手側に直交して延びる前側を有し、該前側の少なくとも一部は開いている。
プリント回路基板との接触は、特に接触板として構成される板状に構成された接触デバイスによってなされるのが好ましい。また、接触デバイスは電気的要素を備えた、又は備えないプリント回路基板も可能である。
【０００９】
接触デバイスは電気的モジュールの内側に置かれ、プラグイン構成の長手方向に延びて、整列方向を横切るのが好ましい。接触デバイスは電気的モジュールのプリント回路基板に取り付けられ、特に溶着されるのが好ましい。
接触デバイスへのアクセスを可能にすべく、電子的ハウジングは凹部を示すのが好ましい。凹部を介して、プラグイン構成は電子的ハウジングの内部空間に挿入され得る。
【００１０】
接触板としての構成において、凹部を通ってプリント回路基板内に挿入される溶融ラグを含むのが好ましく、該溶融ラグはプリント回路基板の後側に溶着される。接触デバイスの安定性と同様に、通電容量(current carrying capacity)を増加させるべく、他の実施形態においては、接触デバイスは対向して置かれた２つの脚部を有する支持ベンドを示し、該支持ベンドはその各開口端にプリント回路基板と溶着する溶融ラグを備えているのが好ましい。この手段によって、より多い溶融ラグが接触デバイス上に配備される。更に、支持べンドは接触デバイス自体の安定性を増加させるだけでなく、プラグイン構成を接触デバイスに嵌合させ又は溶着する際の安定性も増加させる。
【００１１】
この構成を備えたプラグイン構成は、接触デバイス上にて嵌合方向に挿入されるように構成されるのが好ましい。これに関して、嵌合方向はプラグイン構成の長手方向であることが好ましい。特に好ましい形式では、接触デバイスはプリント回路基板を横切って延びる。更に、これに関して、プリント回路基板は整列方向又は整列方向を横切って延びて、電子的ハウジングの壁に平行であるのが好ましい。プリント回路基板はハウジング壁に取り付けられたとき、電気的に絶縁されているのが特に好ましい。
更に、バスバーは整列方向に延び、摩擦バネ内に交換可能に挿入されるのが好ましい。
【００１２】
これについて、摩擦バネは２つの接触領域を示し、第１の接触領域はバスバーに繋がるように配備され、第２の接触領域は接触デバイスに繋がるように配備されるのが好ましい。接触デバイスはチューリップのように構成されるのが好ましい。特に好ましい形式では、摩擦バネは二重チューリップのように構成され、特にＳ字形が好ましい。この実施形態の形式において、第１のＳ字曲げ部はバスバーに繋がり、同様に第２のＳ字曲げ部は接触デバイスに繋がる。以下では、接触領域とＳ字曲げ部の語は、同意語として用いる。
【００１３】
第１のＳ字曲げ部と第２のＳ字曲げ部は、共通の中央フランジと外側フランジを示すのが好ましい。１つの好ましい実施形態の形式では、第１のＳ字曲げ部の中央フランジからの外側フランジの間隔は、第２のＳ字曲げ部の中央フランジからの外側フランジの間隔よりも大きい。更に、第２のＳ字曲げ部の外側フランジは少なくとも一部が中央フランジと平行であるのが好ましい。しかし、外側フランジは第２のＳ字曲げ部に対して或る角度で位置して、第２のＳ字曲げ部を接触デバイス上に嵌合させる開口を可能にするのが好ましい。
【００１４】
プラグイン構成が接触デバイスに挿入され、又は接触デバイスから解放されたときの高い安定性により、支持曲げ部を備えた接触板としての接触デバイスの構成は、第２のＳ字曲げ部のより大きな接触力が実施され得る点で有利である。
Ｓ字形に形成された摩擦バネは差し込むのが簡単で、非常に少ない廃棄物を伴う穿孔曲げ要素として、平坦な材料からコスト的に効率的な方法で製造され得て、２つのＳ字曲げ部ペアの１つに挿入される接触デバイスと非常に安全な電気的接触を確実にする。摩擦バネは金属または合金、特にバネ鋼から形成されるのが好ましい。ここでまた、銅や銅合金のような導電率の良い材料からも製造が可能である。摩擦バネの通電容量の要求に基づき、使用される材料と共に平坦な材料及び一対の摩擦バネの１つの幅は変更され得る。要求されるクランプ力に基づいて、更に補助的なオーバースプリングを用いることも可能である。
【００１５】
中央フランジと同様に第２のＳ字曲げ部の外側フランジは、長手方向に延びる。第１のＳ字曲げ部は少なくとも長手方向に延びる。対照的に、外側フランジと中央フランジの間の接続は、長手方向を横切る延長要素を示し、曲げ部として形作られているのが好ましい。
【００１６】
プラグイン構成に挿入された時、接触デバイスは第２のＳ字曲げ部の中央フランジと外側フランジと間に挿入されるのが好ましい。更に、中央フランジ及び/又は外側フランジ上には、例えば凹み又は一体要素であるロックデバイスが配備されるのが好ましく、接触デバイス上で、対応する反対側のロックデバイスが配備され、接触デバイスが第２のＳ字曲げ部に挿入された時、互いにロックされる。接触デバイスは長手方向に延びるのが特に好ましく、クランプ手段又は電気的アセンブリを第２のＳ字曲げ部内に挿入することは非常に容易である。
【００１７】
代替例として又は加えて、取付けデバイスがプラグインデバイスのハウジング上に配備されることが考えられ、該取付けデバイスは接触デバイス上の反対側の取付けデバイスと協力して作用する。１つの好ましい実施形態において、取付けデバイスは機械的なロックデバイスであり、接触デバイスをプラグイン構成のハウジング上に安全にロックすることを可能にする。特に好ましい形式において、機械的なロックデバイスはツールによって除去されて、プラグイン構成は、特にツールを用いて、機械的なロックデバイスを作動させることにより接触デバイスから除去可能であり、電気的モジュールから除去可能である。
【００１８】
更に、各外側フランジは開口端部を示し、第１のＳ字曲げ部の外側フランジ及び/又は第２のＳ字曲げ部の外側フランジは、開口端部上にて外側に方向付けられた曲げ部を示す。第１のＳ字曲げ部の曲げ部は、挿入されるバスバーを脱落から保護するように配備されるのが好ましい。更に、第１のＳ字曲げ部及び/又は第２のＳ字曲げ部の曲げ部は、第１のＳ字曲げ部内へのバスバーの取り付け、又は第２のＳ字曲げ部内への接触板の取り付けを夫々手助けするように配備されるのが好ましい。
摩擦バネはプラグイン構成の内部空間に予め取り付けられていることが出来るのが好ましい。従って、そのようなプラグイン構成はモジュラー形式に製造され得て、コスト的に効率的な在庫の格納及び組み立てに役立つ。
【００１９】
プラグイン構成のハウジングは略長方形のチューブの形状を有するのが好ましい。摩擦バネのＳ字曲げ部は長手方向に配列され少なくとも部分的に開口するように構成されたハウジングの前側を介して外側からアクセス可能である。更に第１のＳ字曲げ部の領域にて、ハウジングの両側は開口して、バスバーは長手方向を横切って第１のＳ字曲げ部内に挿入されるのが好ましい。更に、ハウジングは電気的に絶縁した材料、特にプラスチックから製造されるのが好ましい。この実施形態の形式において、ハウジングは例えば成形部分として従来の方法によって非常にコスト的に効率的な方法にて製造され得る。
【００２０】
摩擦バネをハウジングに固定すべく、好ましい実施形態の形式において、摩擦バネの対応する反対側の取付けデバイスと協力して作用する取付けデバイスを有する。取付けデバイスはハウジングの１つ以上の内壁に置かれるのが好ましい。更に、内部空間内のプラグイン構成は例えば縁又はフランジである第１のＳ字曲げ部の開口端部にストッパを有して、摩擦バネがハウジングから滑り落ちないのが好ましい。
【００２１】
プラグイン構成のハウジングは、電気的モジュールの電子的ハウジングの外側に置かれる外側片を示し、電子的ハウジングの内側に置かれる内側片を示すように配備されるのが好ましい。従って、ハウジングの外側部分は電子的ハウジングから外側に突出する。このため、外側片と内側片の間に、電子的ハウジングの外側に隣接する外部ストッパが配備される。
【００２２】
第１のＳ字曲げ部が外側片の前側からアクセス可能であるのが好ましい。外側片が電気的モジュールから外側に突出しているから、バスバーは外側から摩擦バネ内に嵌合可能であり、外側に置かれる。これに関して、バスバーは第１のＳ字曲げ部の外側フランジと中央フランジの間に挿入されるのが好ましい。ユーザは非常に素早く且つ容易にバスバーを挿入し、取り外すことが可能である。
第１のＳ字曲げ部の開口端部用に、プラグイン構成の内部空間に配備されるストッパは外部に置かれて、外側片の前側に摩擦バネが外され脱落することを防ぐ。
【００２３】
ストッパ、取付けデバイス及び外側ストッパは、ハウジング内で１つのピースとして形成されるのが好ましく、従って組立用に更なる要素及び費用を必要としない。
好ましい実施形態の形式において、第２のＳ字曲げ部の外側フランジと同様に、第１のＳ字曲げ部の外側フランジ、及び中央フランジの少なくとも一部は各々、長手方向に延びる１以上のスリットを示す。少なくとも１つのスリットは、摩擦バネ上に略中央に置かれるのが好ましい。特に好ましい形式において、スリットは外側部分に配備されて、少なくとも１つの中間壁によって摩擦バネを再分割することができるのが好ましい。中間壁は摩擦バネから取り外されて、バスバーの構成を互いに分離することが出来るのが好ましい。
【００２４】
更に、プラグイン構成は、外側部分上に取り外し可能に位置するハウジングブラケットを備えている。ブラケットは例えば互いに対応する一体要素と凹部によって、プラグイン構成のハウジングにロックされるのが好ましい。ブラケットは例えばプラスチックのような電気的な絶縁材料で作られるのが好ましい。ブラケットによって、バスバーはプラグイン構成内で脱落に抗して更に固定される。更に、電流を搬送するプラグイン構成を用いて、ユーザにとっての安全性が増加する。
ハウジングブラケットは、Ｕ字形に構成され、又は長手方向に延びて整列方向を横切る１つだけの側壁を示すのが好ましい。これにより、多数の電気的モジュールを接続しているバスバーは整列方向に置かれた１以上のハウジングブラケットを完全にカバーすることが出来る。
【００２５】
従って、電気的モジュール構成は、少なくとも１つのプラグイン構成を備えた電気的モジュールを備え、該プラグイン構成は外側から電気的モジュールの電子的ハウジング内の凹部を介して、挿入される。プラグイン構成は電気的モジュールに前側から長手方向に挿入される。挿入後、プラグイン構成の外側ストッパは、電気的モジュールの前側に隣接するのが好ましい。
プラグイン構成は凹部に挿入されるときに、クランプされ又はロックされるのが特に好ましい。しかし、他の付着具、例えばネジもまた可能である。
【００２６】
プラグイン構成及びバスバーの両方は夫々、電気的モジュール又は電気的モジュール構成内に挿入され、従って、電気的モジュール構成の組み立て及び再構成は特に素早く、簡単である。
本発明は特に組み立て易い、請求項１５の多数構成を付与し、本発明の有利な更なる実施形態は、以下の従属請求項１６に付与される。
【図面の簡単な説明】
【００２７】
以下にて、図面を参照し、実施形態を用いることにより本発明が更に詳しく説明され、発明の更なる利点が明らかになるであろう。
【図１】図１(a)はプラグイン構成及び発明に特有の摩擦バネを備えた電気的モジュールの分解図であり、図１(b)乃至図１(f)は、図１(a)の記載からの種々の拡大図である。
【図２】図２(a)はプラグイン構成及び発明に特有の摩擦バネを備えた電気的モジュールが通る部分を示し、図２(b)及び図２(c)は図２(d)から図２(g)と同様に、図２(a)からの電気的モジュールを備えた電気的モジュール構成の種々の記載であり、支持曲げ部を備えた接触板として構成された接触デバイス上のプラグイン構成の挿入を示す。
【図３】図３(a)及び図３(b)は、最終的に組み立てられた図２(b)及び図２(c)の電気的モジュール構成内のバスバーの配置を示し、図３(c)は差し込まれたバスバーを備えたこの電気的モジュール構成の前側を示す。
【図４】電気的モジュール構成の壁への取り付けを示す斜視図である。
【図５】図５(a)は電気的モジュール構成の壁への取り付けの第２の仕様を示す斜視図であり、図５(b)は図５(a)の部分的拡大図であって要素の接触を明らかにし、図５(b)にはハウジング壁が部分的に隠されている。
【発明を実施するための形態】
【００２８】
図２(a)はバスバー５を構成するバスシステム５０を備えた電気的モジュール構成６の斜視図を示し、取付けベース７、即ちここでは取付けレール上の該電気的モジュール構成６は、整列方向７１の行に互いに置かれて取り付けられた電気的モジュール４を示す。電気的モジュール４は少なくとも１つのプリント回路基板９が置かれて、ここでは整列方向７１を横切る電子的ハウジング４１を示す。電気的モジュール４において、多数のプラグイン構成３が位置して、各プラグイン構成はバスシステム５０のバスバー５と電気的モジュール４のプリント回路基板９との電気的導通接続を生成するように配備される。
図１の分解図は、プラグイン構成３の電気的モジュール４の凹部４１１内への挿入を示し、同様に取り付けられた、外側に置かれるバスバー５とともに、電気的モジュール４内に挿入されるプラグイン構成３を示す。
【００２９】
プラグイン構成３は摩擦バネ１を含む。摩擦バネ１が見えるように、プラグイン構成３の断面図が示される。且つ電気的モジュール４の電子的ハウジング４１の一部が記載され、プラグイン構成３及びプラグイン構成３の挿入が見える。電子的ハウジング４１は組み立てられたベース７、例えば取付けレール上に行配置するために配備される。以下において、取付けベース７と取付けレールは同義的に使用される。
摩擦バネ１及びプラグイン構成３は長手方向２１に延び、それは、同時にプラグイン構成３の電子ハウジング４１内への挿入方向である。
【００３０】
ここで、摩擦バネ１は２つの、及び図５のように、３つのチューリップ形の接触領域１１、１２を示す。２つの接触領域１１、１２は互いに上に置かれ、ここで摩擦バネ１はＳ字形のチューリップとして構成され(図５のＷ字形の三重チューリップ)、二重チューリップは、第１のＳ字曲げ部１１及び第２のＳ字曲げ部１２の接触領域として示す。以下では、第１の接触領域及び第１のＳ字曲げ部は、第２の接触領域及び第２のＳ字曲げ部と同様に、同義的に用いられる。Ｓ字曲げ部１１、１２は共通の中央フランジ１３を示し、各々は外側フランジ１１１、１２１を有する。外側フランジ１１１、１２１は各々曲げ部１１３、１２３及び開口端部１１４、１２４を有する。外側フランジ１１１、１２１は中央フランジ１３を備えた曲げ形接続１１５、１２５を介して摩擦バネ１の両端部１５１、１５２に接続される。
【００３１】
摩擦バネ１はプラグイン構成３のハウジング３１の内部空間３２に置かれる。摩擦バネの曲げ形接続１１５、１２５及び開口端部１１４、１２４は、ハウジング３１の内壁３１４に隣接するように配備される。このようにして、クランプバネ１は、第２のＳ字曲げ部１２の中央フランジ１３及び外側フランジ１２１が少なくとも部分的に長手方向２１に延びるように位置する。この手段によって、第２のＳ字曲げ部１２は電気的モジュール４内で長手方向２１に支持される、電子的アセンブリ４３に長手方向２１に挿入されることができる。
第１のＳ字曲げ部１１の外側フランジ１１１は、長手方向２１に対して稍傾いて延び、摩擦バネ１内、特に中央フランジ１３上に挿入されるバスバー５は電気的に導通するように接触する。これに関し、バスバー５は第１のＳ字曲げ部１１内のクランプに保持されて、所望されない方法で摩擦バネ１から落下しない。
【００３２】
プラグイン構成３に組み込まれたハウジング３１は、電気的モジュール４の外側に突出する外側部分３１１を示す。更に、ハウジングは電気的モジュール４の内側空間４２に置かれる内側部分３１２を示す。外側部分３１１と内側部分３１２との間には、外側ストッパ３３がハウジングの外側３４に配備され、プラグイン構成３が要素４の凹部４１１に挿入された時に、電気的モジュール４の前側４４上のストッパ点になり、挿入を制限する。プラグイン構成３が組み込まれた時に、外側ストッパ３３は電気的モジュール４の前側４４に隣接する。
プラグイン構成３は両側で、また前側３５１、３５２を示す。これらの前側３５１、３５２は少なくとも部分的に開口し、プラグイン構成３の内部空間３２及びそこに置かれる摩擦バネ１は、前側３５１、３５２からアクセス可能である。更に、プラグイン構成3の外部部分３１１では、反対に置かれたハウジング壁は開いているように構成され、バスバー５は長手方向２１にてクランプバネ１の第１のＳ字曲げ部１１内に挿入される。
【００３３】
外部部分３１１の前側３５１のクランプバネ１は取外し又は脱落ができないので、長手方向２１を横切ってストッパ３２１が配備され、該ストッパ上で第１のＳ字曲げ部の開口端部１１３は長手方向２１に対するストッパとなる。ここでストッパ３２１はハウジングの縁によって形成される。
プラグイン構成３が組み込まれると、第２のＳ字曲げ部１２がここでは接触板４３として構成される接触デバイス４３に挿入され、長手方向２１に延びる。以下では、接触デバイス４３と接触板の語は同義的に用いられる。外側ストッパ３３は上側ハウジング４１の前側４４に隣接する。そして、第１のＳ字曲げ部１１の開口端部１１３はストッパ３２１に隣接する。これによって、摩擦バネ１はストッパ３２１と接触板４３との間でクランプされる。更に、接触板４３上には、反対側のロックデバイス４３１が配備され、該ロックデバイスは摩擦バネ１の中央フランジ１３上のロックデバイス１３１と協力して作用しその位置を保持する。これにより、クランプバネ１が接触板４３上に深く挿入され過ぎることを防ぐ。ロックデバイス１３１はここでは凹部として配備され、一方、反対側のロックデバイス４３１は一体要素として構成される。他のロックデバイス及び反対側のロックデバイス１３１、４３１も適用可能である。
【００３４】
摩擦バネ１をプラグイン構成３のハウジング３１に固定すべく、ハウジング３１上に補足的または代替的な取付けデバイス(図示せず)、及び必要ならば摩擦バネ１上に対応する反対側の取付けデバイス(図示せず)もまた可能である。
記載されたプラグイン構成３において、ハウジング３１は内側部分３１２にギャップ３１３を示す。ギャップ３１３によって、プラグイン構成が電気的モジュール４の電子的ハウジング４１に支持された接触板４３上をスライドすることが可能になる。
【００３５】
長手方向２１において、摩擦バネ１の略中央で第１のＳ字曲げ部１１の外側フランジ１１１にて、第１のスリット１４１が配備される。更に、摩擦バネ１の略中央で第２のＳ字曲げ部１２の外側フランジ１２１及び中央フランジ１３の少なくとも一部にて、第２のスリット１４２が配備される。スリット１４１、１４２はバスバー５の端部５２、又はバスバー５の端部５２間に位置して、スリット１４１、１４２によって中間壁３６が挿入されることを可能にしている。中間壁３６は電気的に絶縁した材料又は電気的に導通した材料からなる。ハウジング３３の中央には、更に中間壁のガイドがあるのが好ましい。
ユーザにとっての安全性を高めるべく、バスバー５は熱収縮するスリーブから形成されるのが好ましいさや５１を示す。さや５１は、バスバー５が摩擦バネ１と電気的に接触しない箇所の全てに配備されるのが好ましい。更に、プラグイン構成３のハウジング３１は、電気的に絶縁されたハウジングブラケット３７にて覆われることが可能である。
【００３６】
ハウジングブラケット３７内にて、ここでは一体要素であるロックデバイス３７１が配備され、プラグイン構成３のハウジング３１の外側部分３１１に配備された反対側のロック要素(図示せず)とロックする。
代替的に又は加えて、電気的モジュール４の電子的ハウジング４１上のブラケット３７がロック可能であり、及び/又は接触板４３上の摩擦バネ１をロックし、プラグイン構成３が接触板４３から外れないように固定されることも考えられる。
【００３７】
図１(c)は、摩擦バネ１の中央フランジ１３から第１のＳ字曲げ部１１の外側フランジ１１１までの距離１１２が、中央フランジ１３から第２のＳ字曲げ部１２の外側フランジ１２１までの距離１２２よりも長いことを示している。更に、第２のＳ字曲げ部１２の中央フランジ１２及び外側フランジ１２１が互いに略平行に長手方向２１に延びて、プラグイン構成３のハウジング３１もまた配列されていることが見える。このプラグイン構成３は特に電気的モジュール４に適しており、第２のＳ字曲げ部１２が例えばプリント回路基板又は接触グリッド上の接触板４３として記載されている平坦形の接触デバイス４３に挿入される。中央フランジ１３から第１のＳ字曲げ部１１の外側フランジ１１１までの距離１１２が比較的長いことにより、更に高いレベルの電力を送信するのに用いられる大きな断面を有するバスバー５に適している。従って、電気的モジュール４は３８０ボルトの適用、又は更に大きな電圧の適用に構成される。
しかし、本発明は可成り低電圧用、例えば２４ボルトの適用に構成される電気的モジュール４にも適している。更に、ＤＣ及びＡＣの適用にも適している。
【００３８】
図２は、電気的モジュール４を断面図で示す。電気的モジュール４にて、２つのプラグイン構成３が配備される。プラグイン構成３もまた断面図で示され、各場合において、摩擦バネ１が見える。電気的モジュール４は、帽子形の取付板７に挿入される。
図２(b)及び(c)の両方は、図２(a)の多数の電気的モジュール４を備えた電気的モジュール構成６を、種々の組み立て段階で示す。
プリント回路基板９が電子的ハウジング４１の壁４１１に平行に置かれる。プリント回路基板は整列方向７１を横切って延び、長手方向２１に平行である。本実施形態にて、行アセンブリ毎に、２つの接触板４３が配備され、該接触板はプリント回路基板９を横切って位置しプリント回路基板に取り付けられる。従って、ここで示す電気的モジュール４上に、バスシステム５０の２つのバスバー５が２つのプラグイン構成３を介して取り付け可能であり、各バスバーは接触板４３の１つに挿入される。
【００３９】
電気的モジュール４に組み入れられたプラグイン構成３の接触板４３が、第２のＳ字曲げ部１２の要素内に係合し、第２のＳ字曲げ部１２の外側フランジ１２１及び中央フランジ１３が互いに略平行に置かれることが見える。接触板４３及びプラグイン構成３又は摩擦バネ１のこの構成により、プラグイン構成３を電気的モジュール４に挿入することが容易に可能であり、同様に安定した電気的接触を確実にする。
また、バスバー５の長手方向２１の挿入も示される。これに関し、１つの長いバスバー５が示され、多数のプラグイン構成３上を延びる。更に多数の短いバスバー５の構成が示され、ここでは１つのプラグイン構成３から隣接するプラグイン構成３に延びているのみである。これらのバスバー５の端部間にて、中間壁３６が摩擦バネ１のスリット１４１、１４２に挿入され、短いバスバーを２つの隣接する電気的モジュール４の２つのプラグイン構成３間の中央に位置させるのに役立つ。
【００４０】
プリント回路基板９上にて、図２(a)-(c)に配列された接触デバイス４３とは対照的に、図２(d)-(f)の接触デバイス４３は接触板としてのみ構成されているのではなく、２つの対抗する脚部４３２１を備えた支持曲げ部４３２を示し、その開口端部上には溶融ラグ４３５が配備されている。溶融ラグ４３５は、プリント回路基板９内の凹部を通って挿入されて、プリント回路基板９の後側９１に溶着されることが出来る。この手段によって、接触デバイス４３の電流搬送容量及び安定性は増加し、プラグイン構成３が接触デバイス４３に挿入され、又は接触デバイス４３から外されたときに、接触デバイス４３がプリント回路基板９からなくなる危険は減少する。このようにして、第２のＳ字曲げ部１２が大きな接触力を示すことも可能である。
【００４１】
ここに示された実施形態の形式にて、プラグイン構成３を接触デバイス４３に取り付けるために、機械的なロックデバイスが取付けデバイスとして配備され、プラグイン構成３のハウジング３１上に置かれる。図２(d)―(g)の記載において、取付けデバイス３８と機械的なロックデバイスの語は同義的に用いられる。
機械的なロックデバイス３８は、ここではねじ回しのような作動ツール２２によって作動される作動デバイス３８１とロック縁(locking edge)３８２を含む。ここでは、作動ツール２２はツール開口３１５を通って、プラグイン構成３のハウジング３１内に挿入方向２１に挿入されることが出来る。作動ツール２２を用いて、作動デバイス３８１を作動させることにより、ロック縁３８２は、ここでは整列方向７１に対応した解放方向７１に調整可能である。
【００４２】
本実施形態の形式の接触デバイス４３は、プラグイン構成３に向かって転換した側上に、斜面４３４を示し、プラグイン構成３の接触デバイス４３への挿入を容易にする。更に、接触デバイス４３は、プラグイン構成３のハウジング３１のロック縁３８２と協力して作用する少なくとも１つの反対側のロック縁４３３を示す。
図２(d)は支持曲げ部４３２を用いてプリント回路基板９上に溶着される接触デバイス４３を示す。
【００４３】
図２(e)は接触デバイス４３上のプラグイン構成の挿入を示し、図２(f)は作動ツール２２がプラグイン構成３に挿入されるときに、接触デバイス４３上にロックされるプラグイン構成３を示し、図２(g)は接触デバイス４３からプラグイン構成３を解放し後退させることを示す。プラグイン構成３は断面図で示され、摩擦バネ１が見える。更に、より良く見せるべく、プリント回路基板９はこれらの図では図示されない。
機械的なロックデバイス３８のロック縁３８２は、対向する接触デバイス４３の側部に斜面形に構成されている。プラグイン構成３が接触デバイス４３上に挿入方向２１に挿入されると、ロック縁３８２は解放方向７１にシフトし、摩擦バネ１の第１のＳ字曲げ部１１は、機械的なロックデバイス３８のロック縁３８２と接触デバイス３８の反対側のロック縁４３３が互いにロックするまで、接触デバイス４３に挿入されることが出来る。
【００４４】
作動ツール２２を用いて、作動デバイス３８１を作動させることにより、接触デバイス４３からプラグイン構成３を解放することが可能であり、これにより、機械的なロックデバイス３８のロック縁３８２もまた解放方向７１にシフトし、ロック縁３８２の反対側のロック縁４３３との係合はロック解除され、プラグイン構成３は挿入方向２１に対して、挿入２１１と反対方向に後退する。
図３にて、電気的モジュール構成６の電気的モジュール４が完全に組み込まれる。バスバー５のプラグイン構成３への挿入が記載されている。
【００４５】
図４は、更なる改良であるが別個の発明である、特に有利な電気的モジュール構成６の壁取付けを示す。電気的モジュール４はここでは取付けレール７に取り付けられておらず、壁に取り付けられる。ここでは壁レール８１が壁８上に配備され、該壁レール上に(長い形状に形作られた)ハウジングブラケット３７のような取付け要素が取り付けられるのが好ましい。或いは、ハウジングブラケット３７を直に壁８に取り付けることも可能である。
この構成のバスバー５は、壁８に予め取り付けられたハウジングブラケット３７に取り付けられる。プラグイン構成３が予め取り付けられた電気的モジュール４が挿入される。
電気的モジュール構成６を素早く組み立てるのは非常にた易い。何故なら、プリント回路基板９上に溶着された接触板４３は、電気的モジュール４のプリント回路基板９に一緒に予め取り付けられているからである。そのような取付けは、電子的ハウジング４１の壁４１１に接することなく可能である。ここではＳ字形である摩擦バネ１は同様にプラグイン構成３のハウジング３１に予め取り付けられ、外側からここでは電子的ハウジングの前側４４に配備された凹部４１１を通って、接触板４３上に押されてロックされる。
【００４６】
バスバー５は外側からプラグイン構成３内に挿入され、又は１以上の電気的モジュール４がバスバー５又はバスシステム５０上に挿入されることが出来る。バスバー５は絶縁した輪郭５１を備え、ユーザが接することを防ぐ。絶縁した輪郭５１は同時にハウジングブラケット３７内への取り付けに使用できる。
図５は、摩擦バネ１がＳ字形に構成されず、Ｗ字形に構成された仕様を示す。摩擦バネは導電性シート材から製造される。このようにして、摩擦バネはバネ動作を有するように構成され、復帰力を示す。摩擦バネは１つの片の型打ちされた曲げ要素として製造され、従ってコスト的に効率的な方法で生成される。この接触要素としての摩擦バネ１‘は３つのチューリップ形の受け入れ部分１００１、１００２、１００３を示す。これらのうち、２つの受け入れ部分１００１、１００３が第１の方向Ａからアクセス可能であり、一方、３番目の受け入れ部分１００２は第１の方向Ａとは反対に置かれた第２の方向７２からアクセス可能である。
第２の方向Ｂからアクセス可能なチューリップ形の受け入れ部分１００２は、第１の方向Ａからアクセス可能な２つのチューリップ形の受け入れ部分１００１、１００３の間に置かれている。
【００４７】
チューリップ形の受け入れ部分１００１、１００２、１００３は、電気的接続要素と繋がるように配備される。これに関し、第１の方向Ａからアクセス可能な２つのチューリップ形の受け入れ部分１００１、１００３が電気的な接続要素としてバスバー５００１、５００２(特にジョイントの可能性)に繋がるように配備されるのが好ましく、壁(図５)上に取り付けられるのが特に有利である。
第２の方向Ｂからアクセス可能なチューリップ形の受け入れ部分は、電気的接続要素(ここでは記入することが出来ない)に繋がるように配備され、該電気的接続要素はバスバー５００１、５００２を電気的デバイス(図５)の電気的アセンブリ、特に電気的モジュール４０００に繋ぐのが好ましい。この電気的接続要素は、プラグ接続として構成されるのが好ましい。
図１-図４について言及する。図１の第２のＳ字曲げ部１２は、チューリップ形の受け入れ部分１００２に置換可能であり、また他に図１-図４の電気的モジュール４の対応する構成に置換可能である。図５に従って、利用可能な２つのチューリップ形の受け入れ部分を好ましくはバスシステムの接続要素、特にバスバーに繋ぐ接続要素が生成される。このようにして、バスシステムのより多い取り付け要素が接触要素に接続され、又は１つの接続要素、特にバスバーの一端部に繋がるように１つのチューリップ形の受け入れ部分が配備され、接続要素への接触に広い接触領域が利用可能となる。これにより、より多い接触ポイントが可能となり、接触要素は電流に特に適する。波形の表面及び/又は接触ポイントの領域における更なるバネ容量は、接触を更に高めることが出来る。
【符号の説明】
【００４８】
１，１‘  摩擦バネ
１１      第１のＳ字曲げ部
１１１    第１のＳ字曲げ部の外側フランジ
１１２    中央フランジから第１のＳ字曲げ部の外側フランジまでの間隔
１１３    第１のＳ字曲げ部の外側フランジの開口端部
１１４    第１のＳ字曲げ部の外側フランジの開口端部上の曲げ部
１１５    曲げ形状の接続
１２      第２のＳ字曲げ部
１２１    第２のＳ字曲げ部の外側フランジ
１２２    中央フランジから第２のＳ字曲げ部の外側フランジまでの間隔
１２３    第２のＳ字曲げ部の外側フランジの開口端部
１２４    第２のＳ字曲げ部の外側フランジの開口端部上の曲げ部
１２５    曲げ形状の接続
１３      中央フランジ
１３１    ロックデバイス
１４１    第１のＳ字曲げ部内のスリット
１４２    第２のＳ字曲げ部及び中央フランジ内のスリット
１５１、１５２  摩擦バネの両側
２１      摩擦バネの長手方向、挿入方向
２１１    挿入方向と反対側の方向
２２      作動ツール
３        プラグイン構成
３１      プラグイン構成のハウジング
３１１    ハウジングの外側部分
３１２    ハウジングの内側部分
３１３    ハウジング内のギャップ
３１４    ハウジングの内壁
３１５    ツール開口
３２      プラグイン構成の内側空間
３２１    プラグイン構成の内側空間
３３      外側のストッパ
３４      ハウジングの外側
３５１、３５２  プラグイン構成のハウジングの前側
３６      中間壁
３７      ブラケット
３７１    一体要素
３７２    保持デバイス
３８      取付けデバイス、機械的なロック要素
３８１    作動デバイス
３８２    ロック縁
４        電気的モジュール
４１      電気的モジュールの電子的ハウジング
４１１    電子的ハウジングの凹部
４１４    電子的ハウジングのハウジング壁
４２      電気的モジュールの内部空間
４３      接触デバイス、接触板
４３１    接触板上の反対側のロックデバイス
４３２    支持曲げ部
４３２１  支持曲げ部の脚部
４３３    反対側のロック縁
４３４    斜面
４３５    溶融ラグ
４４      電気的ジュールの前側
５        バスバー
５０      バスシステム、エネルギバスシステム
５１      絶縁体、さや
５２      バスバーの端部
６        電気的モジュール構成
７        取付けベース、支持レール
７１      整列方向、解放方向
８        壁
８１      壁レール
９        プリント回路基板
９１      プリント回路基板の後側
１００１  チューリップ形の受け入れ部分
１００２  チューリップ形の受け入れ部分
１００３  チューリップ形の受け入れ部分
５００１  バスバー
５００２  バスバー
【図１ａ】
0006267716.tif 000002
【図１ｂ】
0006267716.tif 000003
【図１ｃ】
0006267716.tif 000004
【図１ｄ】
0006267716.tif 000005
【図１ｅ】
0006267716.tif 000006
【図１ｆ】
0006267716.tif 000007
【図２ａ】
0006267716.tif 000008
【図２ｂ】
0006267716.tif 000009
【図２ｃ】
0006267716.tif 000010
【図２ｄ】
0006267716.tif 000011
【図２ｅ】
0006267716.tif 000012
【図２ｆ】
0006267716.tif 000013
【図２ｇ】
0006267716.tif 000014
【図３ａ】
0006267716.tif 000015
【図３ｂ】
0006267716.tif 000016
【図３ｃ】
0006267716.tif 000017
【図４】
0006267716.tif 000018
【図５】
0006267716.tif 000019